(57)【特許請求の範囲】
【請求項１】
装置に電力を供給するバッテリ部、
前記バッテリ部からの電力を、ＰＷＭ制御方式およびＰＦＭ制御方式によるＤＣ−ＤＣ変換制御を行うＤＣ−ＤＣ変換部、
前記装置において音声コンテンツの再生に係る動作を行う音声再生部、
前記ＤＣ−ＤＣ変換部におけるＤＣ−ＤＣ変換制御を、前記装置に供給する電力の負荷に応じて前記ＰＷＭ制御方式と前記ＰＦＭ制御方式を切り換える制御を行うとともに、前記音声再生部によって音声コンテンツが再生されていると判断したときは、前記ＤＣ−ＤＣ変換部によるＤＣ−ＤＣ変換制御を、前記電力の負荷に係らず前記ＰＷＭ制御方式によるＤＣ−ＤＣ変換制御を行うように制御する制御部、
を備えることを特徴とする携帯型装置。
【請求項２】
前記制御部は、前記音声再生部によって音声コンテンツが再生されていると判断し、且つ前記音声コンテンツが所定以上の音量で再生されていると判断したときは、前記ＤＣ−ＤＣ変換部によるＤＣ−ＤＣ変換制御を、前記電力の負荷に係らず前記ＰＷＭ制御方式によるＤＣ−ＤＣ変換制御を行うように制御する、
請求項１に記載の携帯型装置。
【請求項３】
前記制御部は、前記音声再生部によって音声コンテンツが再生されていると判断し、且つ前記音声コンテンツが非圧縮形式または圧縮形式で所定以上のビットレートであると判断した場合は、前記ＤＣ−ＤＣ変換部によるＤＣ−ＤＣ変換制御を、前記電力の負荷に係らず前記ＰＷＭ制御方式によるＤＣ−ＤＣ変換制御を行うように制御する、
請求項１または２に記載の携帯型装置。
【請求項４】
前記音声再生部により再生された音声コンテンツを外部音声再生部に接続するための出力部をさらに備え、
前記制御部は、前記音声再生部によって音声コンテンツが再生されていると判断し、且つ前記出力部に前記外部音声再生部が接続されていると判断した場合は、前記ＤＣ−ＤＣ変換部によるＤＣ−ＤＣ変換制御を、前記電力の負荷に係らず前記ＰＷＭ制御方式によるＤＣ−ＤＣ変換制御を行うように制御する、
請求項１から３のいずれか１項に記載の携帯型装置。
【請求項５】
装置に電力を供給するバッテリ部、
前記バッテリ部からの電力を、ＰＷＭ制御方式およびＰＦＭ制御方式によるＤＣ−ＤＣ変換制御を行うＤＣ−ＤＣ変換部、
外部からの音声信号を入力する入力部、
前記装置において前記入力部に入力された音声信号を音声データとして記録する音声記録部、
前記ＤＣ−ＤＣ変換部におけるＤＣ−ＤＣ変換制御を、前記装置に供給する電力の負荷に応じて前記ＰＷＭ制御方式と前記ＰＦＭ制御方式を切り換える制御を行うとともに、前記音声記録部が音声データの記録が行われている判断したときは、前記ＤＣ−ＤＣ変換部によるＤＣ−ＤＣ変換制御を、前記電力の負荷に係らず前記ＰＷＭ制御方式によるＤＣ−ＤＣ変換制御を行うように制御する制御部、
を備えることを特徴とする携帯型装置。
【請求項６】
装置に電力を供給するバッテリ部、
前記バッテリ部からの電力を、ＰＷＭ制御方式およびＰＦＭ制御方式によるＤＣ−ＤＣ変換制御を行うＤＣ−ＤＣ変換部、
前記装置における、現在位置情報を取得するＧＰＳ情報取得部、
前記ＤＣ−ＤＣ変換部におけるＤＣ−ＤＣ変換制御を、前記装置に供給する電力の負荷に応じて前記ＰＷＭ制御方式と前記ＰＦＭ制御方式を切り換える制御を行うとともに、前記ＧＰＳ情報取得部が装置の現在位置を取得していると判断したときは、前記ＤＣ−ＤＣ変換部によるＤＣ−ＤＣ変換制御を、前記電力の負荷に係らず前記ＰＷＭ制御方式によるＤＣ−ＤＣ変換制御を行うように制御する制御部、
を備えることを特徴とする携帯型装置。
【請求項７】
装置に電力を供給するバッテリ部からの電力を、装置に供給する電力の負荷に応じてＰＷＭ制御方式およびＰＦＭ制御方式を切り換えるＤＣ−ＤＣ変換制御を行うステップ、
前記装置に供給する電力の負荷に応じて前記ＰＷＭ制御方式と前記ＰＦＭ制御方式を切り換える制御を行うとともに、前記装置における音声コンテンツの再生に係る動作を行う音声再生部によって音声コンテンツが再生されていると判断したときは、前記電力の負荷に係らず前記ＰＷＭ制御方式によるＤＣ−ＤＣ変換制御を行うステップ、
を備えることを特徴とする携帯型装置の制御方法。
【請求項８】
装置に電力を供給するバッテリ部からの電力を、装置に供給する電力の負荷に応じてＰＷＭ制御方式およびＰＦＭ制御方式を切り換えるＤＣ−ＤＣ変換制御を行うステップ、
前記装置に供給する電力の負荷に応じて前記ＰＷＭ制御方式と前記ＰＦＭ制御方式を切り換える制御を行うとともに、前記装置における外部からの音声信号を音声データとして入力する音声記録部によって音声データの記録が行われていると判断したときは、前記電力の負荷に係らず前記ＰＷＭ制御方式によるＤＣ−ＤＣ変換制御を行うステップ、
を備えることを特徴とする携帯型装置の制御方法。
【発明の詳細な説明】
【技術分野】
【０００１】
本発明は、各種動作を行う携帯型装置および携帯型装置の制御方法に関する。
【背景技術】
【０００２】
内蔵したバッテリからの電力で動作する各種携帯型装置であって、それら携帯型装置には予め各種機能を有し動作するものや、ソフトウェアのインストールにより各種機能を動作可能とするものなどがある。これら携帯型装置は具体的には携帯電話装置や携帯型の情報装置であって、動作する機能としては、例えば音声コンテンツ再生機能や音声の録音機能、映像の再生機能や映像の録画機能、ナビゲーション機能等が一般的である。
【０００３】
このような携帯型装置は、主に内蔵したバッテリから供給される電力で動作している。バッテリから供給される電力は、携帯型装置を構成する各部に適切な電圧による電力供給を行うよう、ＤＣ−ＤＣコンバータによって昇圧または降圧を行っているとともに、携帯型装置を長時間動作させるためにＤＣ−ＤＣコンバータも適切に制御されている。
【０００４】
ＤＣ−ＤＣコンバータの制御方式は、ＰＷＭ（Pulse Width Modulation）制御方式やＰＦＭ（Pulse Frequency Modulation）制御方式が一般的であり、出力の負荷に応じてＰＷＭ制御方式とＰＦＭ制御方式を切り換える制御を行うことで、広範囲の負荷に対して効率良く電力を利用可能としている。また、そのような制御が可能なＤＣ−ＤＣコンバータも市販されている。
【先行技術文献】
【特許文献】
【０００５】
【特許文献１】特開２０１０−４６５３号公報
【発明の概要】
【発明が解決しようとする課題】
【０００６】
特許文献１においては、高負荷時にはＰＷＭ制御方式によるＤＣ−ＤＣ変換制御を行い、低負荷時にはＰＦＭ制御方式によるＤＣ−ＤＣ変換制御を行うＤＣ−ＤＣコンバータを応用した例が開示されている。
【０００７】
しかし、上記のような制御は、省電力という観点からは効率のよい制御ではあるが、低負荷時に行うＰＦＭ制御方式は、ＤＣ−ＤＣ変換後の出力電圧にリップル成分が多く、さらには負荷に応じてスイッチング周波数を変化させているため、変化するスイッチング周波数によって変動するノイズ成分への対応が困難である。
【０００８】
上記のようなノイズ成分は、携帯型装置において動作する機能によっては、動作対象の品質を損なうことや、誤動作を伴うこともある。例えば、近年の携帯型装置は記憶容量が大きいため、非圧縮形式等ファイルサイズが大きく高音質である音声コンテンツの再生が可能であるとともに、そのようなファイル形式での高音質での録音も可能である。さらには、ナビゲーション機能や各種ログ機能に位置情報を用いるために、ＧＰＳ（Global Positioning System）を備えたものも多く、前述したノイズ成分はこれら機能の動作に影響してしまう。
【０００９】
本発明はこのような問題点に鑑みなされたものであり、効率的なＤＣ−ＤＣ変換制御を行いながらも、携帯型装置の動作に対して悪影響の無い、携帯型装置お
よび携帯型装置の制御方法を提供することを目的とする。
【課題を解決するための手段】
【００１０】
上記目的を達成するために、第１の発明に係る携帯型装置（１００）は、装置に電力を供給するバッテリ部（９０）と、前記バッテリ部（９０）からの電力を、ＰＷＭ制御方式およびＰＦＭ制御方式によるＤＣ−ＤＣ変換制御を行うＤＣ−ＤＣ変換部（９１）、前記装置において音声コンテンツの再生に係る動作を行う音声再生部（１０、５０）、前記ＤＣ−ＤＣ変換部（９１）におけるＤＣ−ＤＣ変換制御を、前記装置に供給する電力の負荷に応じて前記ＰＷＭ制御方式と前記ＰＦＭ制御方式を切り換える制御を行うとともに、前記音声再生部（１０、５０）によって音声コンテンツが再生されていると判断したときは、前記ＤＣ−ＤＣ変換部（９１）によるＤＣ−ＤＣ変換制御を、前記電力の負荷に係らず前記ＰＷＭ制御方式によるＤＣ−ＤＣ変換制御を行うように制御する制御部（１０）、を備えることを特徴とする。
【００１１】
第２の発明に係る携帯型装置（１００）は、第１の発明において、前記制御部（１０）は、前記音声再生部（１０、５０）によって音声コンテンツが再生されていると判断し、且つ前記音声コンテンツが所定以上の音量で再生されていると判断したときは、前記ＤＣ−ＤＣ変換部（９１）によるＤＣ−ＤＣ変換制御を、前記電力の負荷に係らず前記ＰＷＭ制御方式によるＤＣ−ＤＣ変換制御を行うように制御する。
【００１２】
第３の発明に係る携帯型装置（１００）は、第１または第２の発明において、前記制御部（１０）は、前記音声再生部（１０、５０）によって音声コンテンツが再生されていると判断し、且つ前記音声コンテンツが非圧縮形式または圧縮形式で所定以上のビットレートであると判断したときは、前記ＤＣ−ＤＣ変換部（９１）によるＤＣ−ＤＣ変換制御を、前記電力の負荷に係らず前記ＰＷＭ制御方式によるＤＣ−ＤＣ変換制御を行うように制御する。
【００１３】
第４の発明に係る携帯型装置（１００）は、第１から第３のいずれかの発明において、前記音声再生部（１０、５０）により再生された音声コンテンツを外部音声再生部に接続するための出力部（６０）をさらに備え、
前記制御部（１０）は、前記音声再生部（１０、５０）によって音声コンテンツが再生されていると判断し、且つ前記出力部（６０）に前記外部音声再生部が接続されていると判断した場合は、前記ＤＣ−ＤＣ変換部（９１）によるＤＣ−ＤＣ変換制御を、前記電力の負荷に係らず前記ＰＷＭ制御方式によるＤＣ−ＤＣ変換制御を行うように制御する。
【００１４】
第５の発明に係る携帯型装置（１００）は、装置に電力を供給するバッテリ部（９０）、前記バッテリ部（９０）からの電力を、ＰＷＭ制御方式およびＰＦＭ制御方式によるＤＣ−ＤＣ変換制御を行うＤＣ−ＤＣ変換部（９１）、外部からの音声信号を入力する入力部（７０）、前記装置において前記入力部（７０）に入力された音声信号を音声データとして記録する音声記録部、前記ＤＣ−ＤＣ変換部（９１）におけるＤＣ−ＤＣ変換制御を、前記装置に供給する電力の負荷に応じて前記ＰＷＭ制御方式と前記ＰＦＭ制御方式を切り換える制御を行うとともに、前記音声記録部が音声データの記録が行われている判断したときは、前記ＤＣ−ＤＣ変換部（９１）によるＤＣ−ＤＣ変換制御を、前記電力の負荷に係らず前記ＰＷＭ制御方式によるＤＣ−ＤＣ変換制御を行うように制御する制御部（１０）、を備えることを特徴とする。
【００１５】
第６の発明に係る携帯型装置（１００）は、装置に電力を供給するバッテリ部（９０）、前記バッテリ部（９０）からの電力を、ＰＷＭ制御方式およびＰＦＭ制御方式によるＤＣ−ＤＣ変換制御を行うＤＣ−ＤＣ変換部（９１）、前記装置における、現在位置情報を取得するＧＰＳ情報取得部（８０、１０）、前記ＤＣ−ＤＣ変換部（９１）におけるＤＣ−ＤＣ変換制御を、前記装置に供給する電力の負荷に応じて前記ＰＷＭ制御方式と前記ＰＦＭ制御方式を切り換える制御を行うとともに、前記ＧＰＳ情報取得部（８０、１０）が装置の現在位置を取得していると判断したときは、前記ＤＣ−ＤＣ変換部（９１）によるＤＣ−ＤＣ変換制御を、前記電力の負荷に係らず前記ＰＷＭ制御方式によるＤＣ−ＤＣ変換制御を行うように制御する制御部（１０）、を備えることを特徴とする。
【００１６】
第７の発明に係る携帯型装置（１００）の制御方法は、装置に電力を供給するバッテリ部（９０）からの電力を、装置に供給する電力の負荷に応じてＰＷＭ制御方式およびＰＦＭ制御方式を切り換えるＤＣ−ＤＣ変換制御を行うステップ、前記装置に供給する電力の負荷に応じて前記ＰＷＭ制御方式と前記ＰＦＭ制御方式を切り換える制御を行うとともに、前記装置における音声コンテンツの再生に係る動作を行う音声再生部（１０、５０）によって音声コンテンツが再生されていると判断したときは、前記電力の負荷に係らず前記ＰＷＭ制御方式によるＤＣ−ＤＣ変換制御を行うステップ、を備えることを特徴とする。
【００１７】
第８の発明に係る携帯型装置（１００）の制御方法は、装置に電力を供給するバッテリ部（９０）からの電力を、装置に供給する電力の負荷に応じてＰＷＭ制御方式およびＰＦＭ制御方式を切り換えるＤＣ−ＤＣ変換制御を行うステップ、前記装置に供給する電力の負荷に応じて前記ＰＷＭ制御方式と前記ＰＦＭ制御方式を切り換える制御を行うとともに、前記装置における外部からの音声信号を音声データとして入力する音声記録部によって音声データの記録が行われていると判断したときは、前記電力の負荷に係らず前記ＰＷＭ制御方式によるＤＣ−ＤＣ変換制御を行うステップ、を備えることを特徴とする。
【発明の効果】
【００１８】
本発明によれば、効率的なＤＣ−ＤＣ変換制御を行いながらも、携帯型装置の動作に対して悪影響の無い、携帯型装置および携帯型装置の制御方法を提供することができる。
【図面の簡単な説明】
【００１９】
【図１】本発明における携帯型装置のブロック図である。
【図２】本発明における第１の実施例に係る携帯型装置の動作を表すフローチャートである。
【図３】携帯型装置におけるＰＷＭ／ＰＦＭ自動モードの動作を表すフローチャートである。
【図４】本発明における第２の実施例に係る携帯型装置の動作を表すフローチャートである。
【図５】本発明における第３の実施例に係る携帯型装置の動作を表すフローチャートである。
【図６】本発明における第４の実施例に係る携帯型装置の動作を表すフローチャートである。
【図７】本発明における第５の実施例に係る携帯型装置の動作を表すフローチャートである。
【図８】本発明における第６の実施例に係る携帯型装置の動作を表すフローチャートである。
【発明を実施するための形態】
【００２０】
以下、本発明における携帯型装置１００について、図１を参照して説明する。図１は本実施形態における携帯型装置１００を構成するブロック図である。携帯型装置１００は、例えばポータブル型のメディアプレイヤやＰＤＡ（Personal Digital Assistants）、ＰＮＤ（Portable Navigation Device）、携帯電話等、主にバッテリからの給電によって動作する小型装置であり、各種機能の動作が可能なものが対象となる。
【００２１】
携帯型装置１００は、制御部１０、表示部２０、操作部３０、記憶部４０、音声制御部５０、出力部６０、入力部７０、ＧＰＳ受信部８０、バッテリ部９０、ＤＣ−ＤＣ変換部９１を備える。
【００２２】
制御部１０は、例えばＣＰＵ（Central Processing Unit）であり、ＲＡＭ（Random Access Memory）、ＲＯＭ（Read Only Memory）等を備えて構成される。制御部１０は後述する各部の動作をＲＡＭやＲＯＭに記憶されたプログラムやデータに基づき制御する。また、制御部１０はＲＡＭやＲＯＭまたは後述する記憶部４０に記憶されたプログラムに基づき各種機能を動作させる。
【００２３】
表示部２０は、例えば携帯型装置１００の表面に一体的に備えられた液晶表示装置や有機ＥＬ（Electro Luminescence）表示装置であり、制御部１０の制御によって携帯型装置１００の動作状態や各種機能に係る表示、各種映像コンテンツを表示する。
【００２４】
操作部３０は、携帯型装置１００をユーザが操作する各種操作デバイスであり、例えば携帯型装置１００の表面に備えられている各種操作キー、表示部２０に備えられているタッチパネル、携帯型装置１００に有線または無線で接続される図示しないリモコン装置等である。操作部３０をユーザが操作することによって、制御部１０の制御により携帯型装置１００の各部の動作や処理が実行される。
【００２５】
記憶部４０は、例えばＨＤＤ（Hard disk drive）やフラッシュメモリ等により構成され、各種データを記憶する。また記憶部４０は、音声コンテンツや映像コンテンツ、画像コンテンツ等各種コンテンツデータ、地図データ、各種ログデータ、各種機能に係るプログラムデータを記憶する。記憶部４０は、図示しない接続部に接続されたメモリカード、ＵＳＢメモリ、外部ＨＤＤ等の外部記憶デバイスであってもよい。記憶部４０に対する各種データの読み出しおよび書き込みは、制御部１０の制御により行われる。
【００２６】
音声制御部５０は、例えばＤＳＰ（Digital Signal Processor）であり、デコーダ部５１とエンコーダ部５２を備え、制御部１０の指示により、制御部１０より送出された音声データに対して各種処理を行う。ＤＳＰは、音声データに対してイコライジング等の音質調整や音場調整等各種処理を行う。デコーダ部５１は、ＤＳＰの演算処理により実現され、制御部１０から送出される符号化された音声データを復号して後述する出力部６０に送出する。エンコーダ部５２は、ＤＳＰの演算処理により実現され、後述する入力部７０から入力される音声データを、制御部１０からの制御によって所望の符号化を行う。また、音声再生部とは、少なくとも制御部１０および音声制御部５０からなる。
【００２７】
出力部６０は、音声制御部５０より送出された音声データを、制御部１０の制御によって所定のレベルの音声信号として、外部に出力する。出力部６０は、ＤＡＣ（Digital Analog Converter）６１、出力増幅部６２を備える。さらに出力部６０は、図示しない外部出力端子としてのヘッドフォン端子やスピーカ端子、または携帯型装置１００に装着される図示しないスピーカを備えてもよい。
【００２８】
出力部６０においてＤＡＣ６１は、音声制御部６０から送出されたデジタル信号である音声データをアナログ信号である音声信号に変換する。出力増幅部６２はオペアンプや電子ボリューム回路等を備え、ＤＡＣ６１から送出された音声信号が、操作部３０によってユーザに指示された所望の出力レベルの音声信号となるように、制御部１０の制御に基づき増幅する。
【００２９】
また、出力部６０が外部出力端子である場合、外部出力端子に図示しないヘッドフォンや接続コードを介した外部出力装置などの音声再生装置が接続されたことを制御部１０が検出可能としている。具体的には、出力部６０が備える外部出力端子がステレオミニジャックである場合、ステレオミニジャックにヘッドフォンや接続コード等が接続されることによって、ステレオミニジャックを構成している端子の接地など端子の電圧変動を制御部１０が検出する。
【００３０】
また、出力部６０は音声制御部５０から送出された音声データを、ＤＡＣ６１および出力増幅部６２を介さずにデジタル信号の状態で出力するデジタル出力端子であってもよい。
【００３１】
入力部７０は、外部からの音声信号を入力する。入力部７０は入力増腹部７１、ＡＤＣ（Analog Digital Converter）７２を備える。さらに入力部７０は、図示しない外部入力端子としての各種端子やマイクロフォンを備えていてもよい。
【００３２】
入力部７０において入力増幅部７１はオペアンプ等であり、外部から入力された音声信号制御部１０の制御に基づき所定のレベルまで増幅する。ＡＤＣ７２は、入力増幅部から送出された音声信号をデジタル信号である音声データに変換する。また、入力部７０は、入力増幅部７１およびＡＤＣ７２を介さずにデジタル信号を入力するデジタル入力端子であってもよい。また、入力部７０が備える外部入力端子は、出力部６０が備える外部出力端子と共通であってもよい。
【００３３】
ＧＰＳ受信部８０は、複数ＧＰＳ衛星からの信号を受信する。ＧＰＳ受信部８０によって受信した信号は、受信した信号に含まれる時刻情報の時間差情報を制御部１０によって演算することにより、携帯型装置１００の現在位置を検出する。ＧＰＳ情報取得部とは、ＧＰＳ受信部８０および制御部１０からなる。
【００３４】
バッテリ部９０は、携帯型装置１００に内蔵され、または着脱可能に内蔵される充電可能な蓄電池であり、例えばリチウムイオン電池等により構成される。バッテリ部９０は、後述するＤＣ−ＤＣ変換部９１を介して携帯型装置１００の各部に供給される電力を蓄え、例えば３．７Ｖ等の公称電圧、１０００ｍＡｈ以上の公称容量を有する直流電源である。
【００３５】
ＤＣ−ＤＣ変換部９１は、バッテリ部９０から供給される電力を、携帯型装置１００の各部に適切な電圧となるよう昇圧または降圧を行う。ＤＣ−ＤＣ変換部９１は、図示しないスイッチング素子等を備え、スイッチング素子によるスイッチング周波数やスイッチングパルス幅の制御によって所望の直流電圧を生成する。ＤＣ−ＤＣ変換部９１は、制御部の制御によってスイッチング素子の動作を切り換えることにより実現するＰＷＭ制御部９２とＰＦＭ制御部９３とを備える。
【００３６】
ＰＷＭ制御部９２によって行われるＰＷＭ制御方式とは、スイッチング素子によるスイッチング周波数を固定とし、スイッチングパルス幅を可変する制御方式である。ＰＷＭ制御方式の特徴としては、ＰＦＭ制御方式に比して出力電圧におけるリップル成分が小さく、スイッチング周波数が固定であるために、スイッチング周波数に起因して発生するノイズの対策が容易である。
【００３７】
ＰＦＭ制御部９３によって行われるＰＦＭ制御方式とは、スイッチング素子によるスイッチングパルス幅を一定として、スイッチング周波数を可変とする制御方式である。ＰＦＭ制御方式の特徴としては、ＰＷＭ制御方式に比して回路構成が簡単であり消費電流が少ないという点があるが、リップル成分が大きく、スイッチング周波数が可変であるために、ノイズ対策が困難である。
【００３８】
＜第１の実施例＞
次に、携帯型装置１００における本発明の第１の実施例に係る動作について、図２および図３に基づき説明する。図２は本発明における第１の実施例に係る携帯型装置１００の動作を表すフローチャートであり、図３は携帯型装置１００におけるＰＷＭ／ＰＦＭ自動モードの動作を表すフローチャートである。なお、第１の実施例から第４の実施例においては、携帯型装置１００は入力部７０およびＧＰＳ受信部８０を備えなくてもよい。
【００３９】
図２において、携帯型装置１００の電源が入れられることによって、制御部１０の制御が開始する（ステップＳ１）。ステップＳ１において携帯型装置１００の電源が入れられると、バッテリ部９０からの電力がＤＣ−ＤＣ変換部９１を介して各部に供給されるが、その際は制御部１０が各部の負荷状態を監視し、負荷に応じてＰＷＭ制御方式とＰＦＭ制御方式を切り換えるＰＷＭ／ＰＦＭ自動モードでＤＣ−ＤＣ変換部９１が動作する（ステップＳ２）。
【００４０】
ステップＳ２におけるＰＷＭ／ＰＦＭ自動モードの処理について、図３により説明する。ここで説明するＰＷＭ／ＰＦＭ自動モードの処理は、ステップＳ２に限らず、ステップＳ６、図４および図５におけるステップＳ２４、図６におけるステップＳ４２も共通である。
【００４１】
先ず、制御部１０は携帯型装置１００の各部に用いられている電力を監視し、負荷が所定値以下であるか否かを判断する（ステップＳ１０）。ステップＳ１０において負荷が所定値以下であると判断した場合（ステップＳ１０：Ｙｅｓ）、制御部１０はＤＣ−ＤＣ変換部９１を制御してＰＦＭ制御部９３を動作させる（ステップＳ１１）。この動作をＰＦＭ制御モードとする。
【００４２】
ステップＳ１０において負荷が所定値以下ではないと判断した場合（ステップＳ１０：Ｎｏ）、制御部１０はＤＣ−ＤＣ変換部９１を制御してＰＷＭ制御部９１を動作させる（ステップＳ１２）。この動作をＰＷＭ制御モードとする。ステップＳ１１およびステップＳ１２のいずれの制御モードであっても、制御部１０は逐次負荷を監視することにより制御モードを切り換える（ステップＳ１０）。
【００４３】
なお、ＰＷＭ／ＰＦＭ自動モードにおいては、設定されている所定値近傍での頻繁な制御モード切り換えを防止するために、ある程度のヒステリシス特性を持たせたり、短時間の負荷変動では制御モードが切り替わらないような処理も併用され、これらを含めてＰＷＭ／ＰＦＭ自動モードとする。
【００４４】
図２に戻り、ステップＳ２において、ＰＷＭ／ＰＦＭ自動モードによるＤＣ−ＤＣ変換部９１の動作中において、制御部１０は音声コンテンツの再生が開始されたか否かを判断する（ステップＳ３）。ここでいう音声コンテンツの再生開始とは、ユーザによる操作部３０の操作によって、記憶部４０に記憶されている音声コンテンツのデータが選択された上で、ユーザによる操作部３０の操作によって再生が開始される動作である。ここでいう音声コンテンツとは、例えばＭＰ３（MPEG Audio Layer-3）形式やＷＡＶ形式など、映像や画像を伴わない音声のみからなる各種形式のコンテンツデータである。
【００４５】
ステップＳ３において、音声コンテンツの再生が開始されたと判断した場合は（ステップＳ３：Ｙｅｓ）、制御部１０はＤＣ−ＤＣ変換部９１を制御してＰＷＭ制御部９２のみを動作させる（ステップＳ４）。これをＰＷＭ制御固定モードとし、携帯型装置１００の負荷状態によらず、ＰＷＭ制御方式によるＤＣ−ＤＣ変換制御を行う。
【００４６】
ステップＳ４において、ＰＷＭ制御固定モードで動作中、制御部１０は音声コンテンツの再生が終了されたか否かを判断する（ステップＳ５）。ここでいう音声コンテンツの再生終了とは、ユーザによる操作部３０の操作により再生中の音声コンテンツの停止操作が行われることに加えて、再生中の音声コンテンツが終了することによる再生の終了も含まれる。この場合、音声コンテンツがプレイリスト再生やアルバム再生等複数の音声コンテンツを連続して再生する場合、複数の音声コンテンツの再生を終了した時点で再生終了とする。
【００４７】
ステップＳ５の判断においては、ユーザによる音声コンテンツ停止操作後、または音声コンテンツの再生終了後、直ぐに他の音声コンテンツが選択されて再生されることも多いことから、音声コンテンツの再生が終了してから所定時間経過した状態を、ステップＳ５における音声コンテンツ再生終了の判断タイミングとしてもよい。
【００４８】
ステップＳ５において、音声コンテンツの再生が終了されていないと判断した場合は（ステップＳ５：Ｎｏ）、制御部１０は音声コンテンツの再生が終了されるまでステップＳ５の処理を繰り返す（ステップＳ５）。ステップＳ５において、音声コンテンツの再生が終了されたと判断した場合は（ステップＳ５：Ｙｅｓ）、制御部１０はＤＣ−ＤＣ変換部９１を制御してＰＷＭ／ＰＦＭ自動モードでの制御を行う（ステップＳ６）。
【００４９】
ステップＳ６において、ＰＷＭ／ＰＦＭ自動モードでの動作中、制御部１０は携帯型装置１００の電源がＯＦＦとなったか否かを判断する（ステップＳ７）。また、ステップＳ３において音声再生コンテンツの再生が開始されていないと判断した場合も（ステップＳ３：Ｎｏ）、ステップＳ７に遷移して携帯型装置１００の電源がＯＦＦとなったか否かを判断する（ステップＳ７）。
【００５０】
ステップＳ７における携帯型装置１００の電源ＯＦＦとは、ユーザが操作部３０を操作することによって、携帯型装置１００の電源をＯＦＦとする操作を行うことである。この場合、携帯型装置１００の電源がＯＦＦとなると制御部１０も動作しないため、実質的には制御部１０はステップＳ７において制御部１０は携帯型装置１００が動作している場合は（ステップＳ７：Ｎｏ）携帯型装置１００の電源はＯＦＦとされていないとして、ステップＳ３に推移し、音声コンテンツの再生が開始されたか否かを判断する（ステップＳ３）。ステップＳ７において音声再生装置の電源がＯＦＦとなった場合（ステップＳ７：Ｙｅｓ）、本処理は終了する。
【００５１】
このような処理によって、音声コンテンツが再生されている期間におけるＤＣ−ＤＣ変換部９１はＰＷＭ制御固定モードで動作し、音声コンテンツが再生されていない期間はＰＷＭ／ＰＦＭ自動モードで動作する。このため、携帯型装置１００は、音声コンテンツが再生されていない期間は負荷に応じて適切なＤＣ−ＤＣ変換制御がなされるとともに、音声コンテンツの再生期間中はノイズ等の少ない高品質な再生を行うことができる。
【００５２】
＜第２の実施例＞
次に、携帯型装置１００における本発明の第２の実施例に係る動作について、図４に基づき説明する。図４は本発明における第２の実施例に係る携帯型装置１００の動作を表すフローチャートであり、図２と共通する動作については同一番号として説明は省略する。
【００５３】
ステップＳ３において、制御部１０が音声コンテンツの再生が開始されたと判断した場合は（ステップＳ３：Ｙｅｓ）、制御部１０は再生中の音声コンテンツの再生音量が所定以上であるか否かを判断する（ステップＳ２０）。ここでいう所定以上の再生音量とは、出力増幅部６２において予め設定された以上の増幅率での出力がなされているか否かの判断であり、ユーザが操作部３０を操作することによって調整した再生音量に対して判断を行う。
【００５４】
具体的には、出力部６０が備えている図示しない電子ボリューム回路が、操作部３０による音量操作に基づき、最大音量０ｄＢから４ｄＢステップで最小音量となるように制御部１０により制御される場合、一例として−４０ｄＢより小さい減衰量である場合に、音声コンテンツの再生音量が所定以上であると判断する。効果的な減衰量の閾値としては、音声コンテンツの無音区間においてＰＦＭ制御に基づくデジタルノイズや他のデジタルノイズが認識できるような音量以上である。この減衰量は予め設定されていてもよく、ユーザにより変更可能であってもよい。さらには、出力部６０に接続される図示しないヘッドフォンのインピーダンスによって変更可能としてもよい。
【００５５】
ステップＳ２０において、音声コンテンツの再生音量が所定以上ではないと判断した場合（ステップＳ２０：Ｎｏ）、制御部１０は音声コンテンツの再生が終了されたか否かを判断する(ステップＳ２１)。音声コンテンツの再生終了とは前述したステップＳ５の判断と同一であり、ステップＳ２１において音声コンテンツの再生が終了されていないと判断した場合は（ステップＳ２１：Ｎｏ）、ステップＳ２０に遷移し制御部１０は再度音声コンテンツの再生音量が所定以上であるか否かを判断する（ステップＳ２０）。これにより、ＰＷＭ／ＰＦＭ自動モードで音声コンテンツの再生が継続されている間、ユーザによる操作部３０の操作によって音声コンテンツの再生音量が変動した場合にも対応する。
【００５６】
ステップＳ２０において、音声コンテンツの再生音量が所定以上であると判断した場合（ステップＳ２０：Ｙｅｓ）、制御部１０はＤＣ−ＤＣ変換部９１を制御してＰＷＭ制御部９２のみを動作させる（ステップＳ４）。
【００５７】
ステップＳ４において、ＰＷＭ制御固定モードで動作中、制御部１０は音声コンテンツの再生音量が所定以上であるか否かを判断する（ステップＳ２２）。ステップＳ２２における判断はステップＳ２０における判断と同一であり、ステップＳ２２において、音声コンテンツの再生音量が所定以上であると判断した場合（ステップＳ２２：Ｙｅｓ）、制御部１０は音声コンテンツの再生が終了されたか否かを判断する（ステップＳ２３）。ステップＳ２３における判断はステップＳ２１における判断と同一である。ステップＳ２３において音声コンテンツの再生が終了されたと判断した場合（ステップＳ２３：Ｙｅｓ）、制御部１０はＤＣ−ＤＣ変換部９１を制御してＰＷＭ／ＰＦＭ自動モードでの制御を行う（ステップＳ６）。
【００５８】
さらにステップＳ２０において再生音量が所定以上であると判断した場合（ステップＳ２０：Ｙｅｓ）、音声コンテンツの再生が開始されたときに設定されていた音量がユーザの望まない大きな再生音量であったときなどは、ユーザは音声コンテンツの再生が開始されたあと、直ぐに操作部３０を操作して再生音量を下げることがある。このため、ステップＳ４に推移する前に所定の時間待機してもよい。所定の時間とは例えば５秒であり、５秒以内に所定の音量以上から所定の音量以下に操作された場合は、ステップＳ２０においては所定の音量以上ではないと判断してもよい。
【００５９】
ステップＳ２２において、音声コンテンツの再生音量が所定以上ではないと判断した場合（ステップＳ２２：Ｎｏ）、制御部１０はＤＣ−ＤＣ変換部９１を制御してＰＷＭ／ＰＦＭ自動モードでの制御を行う（ステップＳ２４）。ステップＳ２２およびステップＳ２３の処理によって、ＰＷＭ制御固定モードで音声コンテンツの再生が継続されている間、ユーザによる操作部３０の操作によって音声コンテンツの再生音量が変動した場合にも対応する。
【００６０】
ステップＳ２４において、ＰＷＭ／ＰＦＭ自動モードでの動作中、制御部１０は音声コンテンツの再生が終了されたか否かを判断する（ステップＳ２５）。ステップＳ２５の判断もステップステップＳ２１における判断と同一であり、ステップＳ２５において、音声コンテンツの再生が終了されたと判断した場合は（ステップＳ２５：Ｙｅｓ）、ステップＳ７に遷移して、制御部は携帯型装置１００の電源がＯＦＦとなったか否かを判断する（ステップＳ７）。
【００６１】
ステップＳ２５において、音声コンテンツの再生が終了されていないと判断した場合は（ステップＳ２５：Ｎｏ）、ステップＳ２０に遷移して、制御部は再度音声コンテンツの再生音量が所定以上であるか否かを判断する（ステップＳ２０）。
【００６２】
このような処理によって、音声コンテンツが再生されている期間であって、音声コンテンツが所定以上の音量で再生されている場合には、ＤＣ−ＤＣ変換部９１はＰＷＭ制御固定モードで動作する。このため、携帯型装置１００は、出力部６０における音声出力にデジタルノイズが確認できない音量である場合は、負荷に応じて適切なＤＣ−ＤＣ変換制御がなされるとともに、デジタルノイズの影響が確認できるような音量である場合は、ノイズ等の少ない高品質な再生を行うことができる。
【００６３】
＜第３の実施例＞
次に、携帯型装置１００における本発明の第３の実施例に係る動作について、図５に基づき説明する。図５は本発明における第３の実施例に係る携帯型装置１００の動作を表すフローチャートであり、図２および図３と共通する動作については同一番号として説明は省略する。
【００６４】
ステップＳ３において、制御部１０が音声コンテンツの再生が開始されたと判断した場合は（ステップＳ３：Ｙｅｓ）、制御部１０は再生中の音声コンテンツが所定以上の音質であるか否かを判断する（ステップＳ３０）。ここでいう所定以上の音質の音声コンテンツとは、音声コンテンツにおいて高い音質が求められるために指定されたデータ形式の音声コンテンツである。具体的には、音声コンテンツを構成するファイル形式がＷＡＶ形式などの非圧縮音声データである場合や、ファイル形式がＭＰ３である場合でビットレートが１２８ｋｂｐｓ以上である場合などである。
【００６５】
ステップＳ３における判断は、制御部１０により再生される音声コンテンツの拡張子や音声コンテンツファイルにおけるヘッダ情報などの属性情報等に基づき判断する。
【００６６】
ステップＳ３０において、音声コンテンツが所定以上の音質ではないと判断した場合は（ステップＳ３０：Ｎｏ）、制御部１０は音声コンテンツの再生が終了されたか否かを判断する(ステップＳ２１)。この場合、ＰＷＭ／ＰＦＭ自動モードで音声コンテンツの再生が継続されている間、音声コンテンツの再生が継続されていても、再生対象となる音声コンテンツのファイルが切り替わることによって、音声コンテンツの音質が変化する場合にも対応する。
【００６７】
ステップＳ３０において、音声コンテンツが所定以上の音質であると判断した場合は（ステップＳ３０：Ｙｅｓ）、制御部１０はＤＣ−ＤＣ変換部９１を制御してＰＷＭ制御部９１のみを動作させる（ステップＳ４）。ステップＳ４において、ＰＷＭ制御固定モードで動作中、制御部１０は音声コンテンツが所定以上の音質であるか否かを判断する（ステップＳ３１）。これにより、ＰＷＭ制御固定モードで音声コンテンツの再生が継続されていても再生対象となる音声コンテンツのファイルが切り替わることによって、音声コンテンツの音質が変化する場合にも対応する。
【００６８】
このような処理によって、音声コンテンツが再生されている期間であって、音声コンテンツが所定以上の音質である場合には、ＤＣ−ＤＣ変換部９１はＰＷＭ制御固定モードで動作する。このため、携帯型装置１００は、音声コンテンツが出力部７０における音声出力にデジタルノイズが容認できる音質である場合は、負荷に応じて適切なＤＣ−ＤＣ変換制御がなされるとともに、デジタルノイズの影響をできるだけ受けたくない音質の音声コンテンツである場合は、ノイズ等の少ない高品質な再生を行うことができる。
【００６９】
＜第４の実施例＞
次に、携帯型装置１００における本発明の第４の実施例に係る動作について、図６に基づき説明する。図６は本発明における第４の実施例に係る携帯型装置１００の動作を表すフローチャートであり、図２と共通する動作については同一番号として説明は省略する。
【００７０】
ステップＳ３において、制御部１０が音声コンテンツの再生が開始されたと判断した場合は（ステップＳ３：Ｙｅｓ）、制御部１０は出力部７０に図示しない外部音声再生部が接続されているか否かを判断する（ステップＳ４０）。ここでいう外部音声再生部とは、出力部７０がヘッドフォン等を接続するステレオミニジャックであった場合、出力部７０に例えば図示しないヘッドフォン若しくは他のオーディオ装置と接続するステレオミニプラグコードである。
【００７１】
ステップＳ４０において、外部音声再生部が接続されたと判断した場合（ステップＳ４０：Ｙｅｓ）、制御部１０はＤＣ−ＤＣ変換部９１を制御してＰＷＭ制御部９２のみを動作させる（ステップＳ４）。ステップＳ４０において、外部音声再生部が接続されていないと判断した場合（ステップＳ４０：Ｎｏ）、制御部１０は音声コンテンツの再生が終了したか否かを判断する（ステップＳ４３）。
【００７２】
ステップＳ４において、ＰＷＭ制御固定モードで動作中、制御部１０は外部音声再生部の接続が解除されたか否かを判断する（ステップＳ４１）。ステップＳ４１において外部音声再生部の接続が解除されていないと判断した場合（ステップＳ４１：Ｎｏ）、制御部１０は音声コンテンツの再生が終了したか否かを判断する（ステップＳ５）。ステップＳ４１において外部音声再生部の接続が解除されたと判断した場合（ステップＳ４１：Ｙｅｓ）、制御部１０はＤＣ−ＤＣ変換部９１を制御してＰＷＭ／ＰＦＭ自動モードでの制御を行う（ステップＳ４２）。
【００７３】
ステップＳ４２において、ＰＷＭ／ＰＦＭ自動モードでの動作中、制御部１０は音声コンテンツの再生が終了されたか否かを判断する（ステップＳ４３）。ステップＳ４３において、音声コンテンツの再生が終了されていないと判断した場合（ステップＳ４３：Ｎｏ）、制御部１０は音声コンテンツの再生が終了されるまで待機し、音声コンテンツの再生が終了されたと判断した場合（ステップＳ４３：Ｙｅｓ）、制御部１０は、携帯型装置１００の電源がＯＦＦとなったか否かを判断する（ステップＳ７）。
【００７４】
このような処理によって、音声コンテンツが再生されている期間であって、出力部７０に外部音声再生部が接続されている場合には、ＤＣ−ＤＣ変換部９１はＰＷＭ制御固定モードで動作する。このため、出力部７０に接続される外部音声再生部が、例えば図示しないヘッドフォンである場合は、音声コンテンツが再生されている場合であってもヘッドフォンが接続されていない場合は、ユーザが実際に音声コンテンツを聴取していないため、ヘッドフォンが接続されている期間のみＰＷＭ制御固定モードで動作する。したがって、実際にユーザがヘッドフォンを用いて音声コンテンツを聴取しているときは、ノイズ等の少ない高品質な再生を行うことができる。
【００７５】
さらに、出力部７０に接続される外部音声再生部の例としては図示しないステレオミニプラグコード等がある。この場合、出力部７０から出力される音声信号は、ステレオミニプラグコードによって接続される、例えば図示しない据え置き型オーディオ装置や車載オーディオ装置より出力される。このため、ポータブル型の装置である携帯型装置１００より音声出力レベルが大きく、再生帯域も広い外部のオーディオ装置に対してもノイズ等の少ない高品質な音声コンテンツを供給できる。
【００７６】
＜第５の実施例＞
次に、携帯型装置１００における本発明の第５の実施例に係る動作について、図７に基づき説明する。図７は本発明における第５の実施例に係る携帯型装置１００の動作を表すフローチャートであり、図１と共通する動作については同一番号として説明は省略する。なお、第５の実施例においては、携帯型装置１００はＧＰＳ受信部８０を備えなくてもよい。
【００７７】
図７におけるステップＳ２において、ＰＷＭ／ＰＦＭ自動モードでの動作中、制御部１０は音声の録音が開始されたか否かを判断する（ステップＳ５０）。ここでいう音声の録音とは、ユーザによる操作部３０の操作によって、入力部７０より入力される音声信号、または入力部に備えられている図示しないマイクロフォンや入力部に備えられている図示しない入力端子に接続されたマイクロフォン等からの音声信号を、制御部１０の制御によってエンコーダ部５２において符号化し、記憶部４０に記憶する動作である。
【００７８】
ステップＳ５０において、録音が開始されたと判断した場合は（ステップＳ５０：Ｙｅｓ）、制御部１０はＤＣ−ＤＣ変換部９１を制御してＰＷＭ制御部９２のみを動作させる（ステップＳ４）。ステップＳ４において、ＰＷＭ制御固定モードで動作中、制御部１０は録音が終了したか否かを判断する（ステップＳ５１）。ステップＳ５０において、録音が開始されていないと判断した場合は（ステップＳ５１：Ｎｏ）、ステップＳ７に推移し携帯型装置１００の電源がＯＦＦとなったか否かを判断する（ステップＳ７）。
【００７９】
ステップＳ５１において、録音が終了されていないと判断した場合は（ステップＳ５１：Ｎｏ）、録音が終了されるまでステップＳ５１の処理を繰り返す（ステップＳ５１）。ステップＳ５１において、録音が終了されたと判断した場合は（ステップＳ５１：Ｙｅｓ）、制御部１０はＤＣ−ＤＣ変換部９１を制御してＰＷＭ／ＰＦＭ自動モードでの制御を行う（ステップＳ６）。
【００８０】
このような処理によって、音声が録音されている期間におけるＤＣ−ＤＣ変換部９１はＰＷＭ制御固定モードで動作し、音声が録音されていない期間はＰＷＭ／ＰＦＭ自動モードで動作する。このため、携帯型装置１００は、音声が記録されている期間は負荷に応じて適切なＤＣ−ＤＣ変換制御がなされるとともに、音声の記録期間中は記録する音声にノイズ等が混入することの少ない高品質な録音を行うことができる。
【００８１】
＜第６の実施例＞
次に、携帯型装置１００における本発明の第６の実施例に係る動作について、図８に基づき説明する。図８は本発明における第６の実施例に係る携帯型装置１００の動作を表すフローチャートであり、図１と共通する動作については同一番号として説明は省略する。なお、第６の実施例において、携帯型装置１００は出力部６０および入力部７０を備えなくてもよい。
【００８２】
図８におけるステップＳ２において、ＰＷＭ／ＰＦＭ自動モードでの動作中、制御部１０は現在位置情報の取得が開始されたか否かを判断する（ステップＳ６０）。ここでいう現在位置情報の取得とは、携帯型装置１００においてナビゲーション機能やログ機能が動作しているときに、制御部１０が定期的にＧＰＳ受信部８０を制御し、現在位置情報を取得する動作である。具体的には、ＧＰＳ受信部８０で受信した複数のＧＰＳ衛星からの電波に基づいて現在位置を演算により求める。
【００８３】
例えば、携帯型装置１００においてナビゲーション機能が動作しているときは、制御部１０は、ユーザによって設定された目的地情報およびＧＰＳ受信部８０により取得した現在位置情報に基づき、例えば記憶部４０に記憶されている地図データとともに表示部２０にルート案内画面を表示する。また、携帯型装置１００においてログ機能が動作しているときは、制御部１０は定期的にＧＰＳ受信部８０より取得した現在位置情報に加えて、例えば現在時刻情報や必要に応じて各種機能の動作情報を記憶部４０に記憶する。
【００８４】
ステップＳ６０において、現在位置の取得が開始されたと判断した場合は（ステップＳ６０：Ｙｅｓ）、制御部１０はＤＣ−ＤＣ変換部９１を制御してＰＷＭ制御部９２のみを動作させる（ステップＳ４）。ステップＳ４において、ＰＷＭ制御固定モードで動作中、制御部１０は現在位置の取得が終了されたか否かを判断する（ステップＳ６１）。ステップＳ６０において、現在位置の取得が開始されていないと判断した場合は（ステップＳ６１：Ｎｏ）、ステップＳ７に推移し携帯型装置１００の電源がＯＦＦとなったか否かを判断する（ステップＳ７）。
【００８５】
ステップＳ６１において、現在位置の取得が終了されていないと判断した場合は（ステップＳ６１：Ｎｏ）、現在位置の取得が終了されるまでステップＳ６１の処理を繰り返す（ステップＳ６１）。ステップＳ６１において、現在位置の取得が終了されたと判断した場合は（ステップＳ６１：Ｙｅｓ）、制御部１０はＤＣ−ＤＣ変換部９１を制御してＰＷＭ／ＰＦＭ自動モードでの制御を行う（ステップＳ６）。
【００８６】
このような処理によって、現在位置の取得が行われている期間におけるＤＣ−ＤＣ変換部９１はＰＷＭ制御固定モードで動作し、現在位置の取得が行われていない期間はＰＷＭ／ＰＦＭ自動モードで動作する。このため、携帯型装置１００は、ＧＰＳ受信部８０が受信するＧＰＳ信号のような高周波信号の処理において、リップル成分やノイズの影響を受けず、誤動作の少ない動作を行うことができる。
【００８７】
本発明の実施の形態は、その要旨を逸脱しない限り、様々に変更可能である。例えば、第５の実施例における録音の対象として、図示しないマイクロフォンや外部から入力された音声信号の例として記載したが、携帯型装置１００は例えばラジオチューナやＴＶチューナを備え、これら各チューナからの音声や映像を記録する場合において同様の制御を行ってもよい。また、各実施の形態を各々組み合わせて実施してもよい。
【符号の説明】
【００８８】
１０：制御部、２０：表示部、３０：操作部、４０：記憶部、５０：音声制御部、６０：出力部、７０：入力部、８０：ＧＰＳ受信部、９０：バッテリ部、９１：ＤＣ−ＤＣ変換部、１００：携帯型装置
【図１】
0005516093.tif 000002
【図２】
0005516093.tif 000003
【図３】
0005516093.tif 000004
【図４】
0005516093.tif 000005
【図５】
0005516093.tif 000006
【図６】
0005516093.tif 000007
【図７】
0005516093.tif 000008
【図８】
0005516093.tif 000009